(57)【特許請求の範囲】
【請求項１】
曲面とされたシート面を有する光透過性のシートと、
前記シートの一方のシート面に、前記曲面に沿って湾曲して設けられ、突条の複数のレンズが並列に配されたレンズ部と、
前記シートの他方のシート面に設けられ、画像が形成された画像形成部と、
を備え、
前記曲面は、法線の方向が異なる３つの領域を有し、各領域の法線の方向のうち１つが他の２つを含む平面に傾きをもつ形状であり、
前記レンズの幅の最小値は、２５．４μｍ以上５０８．０μｍ以下の範囲内であり、
前記レンズ部は、前記レンズの延びた方向における第１位置と第２位置との断面形状が異なる前記レンズを有する立体造形物。
【請求項２】
前記シートは、前記レンズの延びた方向に沿って曲率が変化している請求項１に記載の立体造形物。
【請求項３】
前記シートは、前記複数のレンズの並び方向に沿って曲率が変化している請求項１または２に記載の立体造形物。
【請求項４】
前記レンズ部は、前記複数のレンズの並び方向における第３位置と第４位置とにおいて断面の形が互いに異なる２つの前記レンズを備える請求項１ないし３のいずれか１項に記載の立体造形物。
【請求項５】
前記レンズ部の厚みが、前記レンズの延びた方向と前記複数のレンズの並び方向との少なくともいずれか一方に沿って変化している請求項１ないし４のいずれか１項に記載の立体造形物。
【請求項６】
前記シート面の曲率半径は、小さくても前記レンズの幅である請求項１ないし５のいずれか１項に記載の立体造形物。
【発明の詳細な説明】
【技術分野】
【０００１】
本発明は、立体造形物に関する。
【背景技術】
【０００２】
自動車の内装または電化製品の外観などの意匠性を高めたり差別化するためのものとして、加飾フィルムがある。加飾フィルムとしてはフィルム基材に図柄を印刷などにより施したものが多いが、こうした加飾フィルムは、表現力または表現の多様性などに限界がある。【０００３】
表現力の向上または表現の多様性を図るために、半円柱状のいわゆるシリンドリカルレンズをその延在方向と直交する方向に多数並べたレンチキュラシートを用い、可変視用の画像（チェンジング画像）または立体視用の画像（立体画像）を観察できるようにした技術が知られている。これは、レンチキュラシートの平坦なレンズ面側である背面側に、例えば左右の２視点から撮影した左視点画像及び右視点画像をそれぞれストライプ状に分割したストライプ画像を交互に配置したものであり、１個のシリンドリカルレンズの平坦なレンズ面に、隣接する２つのストライプ画像を位置させたものである。立体視用の画像が形成されている場合には、左眼と右眼とが、各シリンドリカルレンズを介して、視差のある左視点画像及び右視点画像をそれぞれ観察することで、立体画像を観察することができる。また、Ｎ（Ｎは３以上）個の視点画像からなる多視点画像をストライプ状に分割し、１個のシリンドリカルレンズの背後に、Ｎ個のストライプ画像を並べた状態に配置することによって、立体感をさらに向上させることも知られている（例えば特許文献１参照）。また、可変視用の画像が形成されている場合には、観察点の移動、すなわち視認角度の変化によって、観察される図柄が切り替わる。【０００４】
立体感及び／または加飾効果をさらに向上させるものとして、透明フィルム基材と、この透明フィルム基材の一方の面に所定のピッチで配列された微細なレンズ群からなるレンズ部と、他方の面にレンズピッチと印刷画像ピッチとが一致するように形成された印刷画像とを備えたシート層の印刷画像面側に、熱可塑性樹脂層を介して紙基材またはフィルム基材を積層したレンズ付き印刷物が提案されている（例えば、特許文献２参照）。このレンズ付き印刷物は、上記のシート層が凹凸構造をもち、かつ、上記の紙基材またはフィルム基材の露呈した表面は平坦とされている。【０００５】
レンチキュラシートは立体形状とされたものがあり、例えば、レンチキュラシートを全体として片側に凸で反対側が空洞となる立体形状に成型された装飾材が提案されている（例えば、特許文献３参照）。この装飾材は、シリンドリカルレンズが延びた方向が互いに直交するように２枚重ねられ、上記空洞側に発光体が備えられることにより、電飾装置に利用される。また、印刷層が裏面に形成されたレンチキュラシートを玩具体の一部の形状と同一形状に成形し、成形したレンチキュラシートを玩具体の一部の表面に貼り付けた三次元レンチキュラが提案されている（例えば、特許文献４参照）。この三次元レンチキュラにおける上記印刷層は、異なる絵柄をそれぞれ等間隔に分割し、分割した絵柄をレンズに対応させた状態に交互に印刷することにより形成されている。
【先行技術文献】
【特許文献】
【０００６】
【特許文献１】特開２０１１−１５４３０１号公報
【特許文献２】特開２００８−０６４９３８号公報
【特許文献３】特開２００５−１３１８９１号公報
【特許文献４】特開２００５−１３１２６１号公報
【発明の概要】
【発明が解決しようとする課題】
【０００７】
しかしながら、特許文献１などで知られるレンチキュラシートを用いた技術及び特許文献２に記載されるレンズ付き印刷物は、シートという平面性ゆえに用途及び意匠性は限られている。また、特許文献３の装飾材は、空洞を備え、かつ、その空洞側に発光体が配されることにより、その加飾性を発揮するものであり、同様に、用途は限られる。特許文献４に記載される玩具体に用いる三次元レンチキュラは、精細さに劣ることから用途に限界があり、用途を広げるには意匠性の向上が求められる。【０００８】
そこで、本発明は、光の見え方に変化を与えて意匠性により優れた立体造形物を提供することを目的とする。
【課題を解決するための手段】
【０００９】
本発明は、シートと、レンズ部と、画像形成部とを備える。シートは、曲面とされたシート面を有し、光透過性をもつ。レンズ部は、シートの一方のシート面に、上記曲面に沿って湾曲して設けられ、突条の複数のレンズが並列に配されている。画像形成部は、シートの他方のシート面に設けられ、画像が形成されている。上記曲面は、法線の方向が異なる３つの領域を有し、各領域の法線の方向のうち１つが他の２つを含む平面に傾きをもつ形状である。レンズの幅の最小値は、２５．４μm以上５０８．０μm以下の範囲内である。レンズ部は、レンズの延びた方向における第１位置と第２位置との断面形状が異なるレンズを有する。
【００１０】
シートは、レンズの延びた方向に沿って曲率が変化していることが好ましい。【００１１】
シートは、複数のレンズの並び方向に沿って曲率が変化していることが好ましい。【００１３】
レンズ部は、複数のレンズの並び方向における第３位置と第４位置とにおいて断面の形が互いに異なる２つのレンズを備えることが好ましい。【００１４】
レンズ部の厚みが、レンズの延びた方向と複数のレンズの並び方向との少なくともいずれか一方に沿って変化していることが好ましい。【００１５】
シート面の曲率半径は、小さくても前記レンズの幅であることが好ましい。
【発明の効果】
【００１６】
本発明の立体造形物は、光の見え方により変化を与え、意匠性に優れる。
【図面の簡単な説明】
【００１７】
【図１】本発明を実施した装飾部材の使用態様を示す説明図である。
【図２】ダッシュボード材の断面概略図である。
【図３】装飾部材の層構造を説明する分解説明図である。
【図４】曲面とされたシート面の説明図である。
【図５】装飾部材の説明図である。
【図６Ａ】図５の（VIａ）−（VIａ）線に沿った断面の説明図である。
【図６Ｂ】図５の（VIｂ）−（VIｂ）線に沿った断面の説明図である。
【図７】装飾部材の説明図である。
【図８Ａ】第３位置のレンズの説明図である。
【図８Ｂ】第４位置のレンズの説明図である。
【図９】造形材製造装置の概略図である。
【図１０】成型装置の断面概略図である。
【図１１】装飾部材の概略図である。
【図１２】印刷層に形成されている画像の説明図である。
【図１３】装飾部材の平面図である。
【図１４】図１３のXIV−XIV線に沿う断面の曲面部の説明図である。
【図１５】点Ｐにおける画像の説明図である。
【図１６】点Ｑにおける画像の説明図である。
【図１７】図１３のXVII−XVII線に沿う断面の曲面部の説明図である。
【図１８】点Ｐにおける画像の説明図である。
【図１９】点Ｒにおける画像の説明図である。
【図２０】装飾部材の撮影画像である。
【図２１】装飾部材の撮影画像である。
【発明を実施するための形態】
【００１８】
図１において、立体造形物の一例としての装飾部材１０は、外部から装飾部材１０に入射する光と装飾部材１０の内部の後述する界面において反射した光とを屈折させ、光の見え方に変化を与えるためのものである。装飾部材１０は、詳細は後述するが湾曲した形状をもち、自動車１１の内装品とされている。装飾部材１０は、他の内装品に埋め込むように取り付けられており、この例では、ダッシュボード１４の一部として取り付けてある。装飾部材１０は、対向する観察者側に凸とされ、断面楕円弧状にされた前面部１０Ａと、前面部１０Ａの図１における左右の各側方に配され、球面状にされた側面部１０Ｂとが一体に形成されたものである。立体造形物の他の例としては、装飾部材１０と異なる湾曲形状をもち、ステアリングホイール１５、ドアパネル１６の例えば一部として取り付ける装飾部材が挙げられる。また、立体造形物は、自動車の内装品に限られず、例えば、家電、スーツケース、玩具などでもよい。なお、図１において、矢線Ｘは鉛直方向、矢線Ｙは自動車１１内からフロントガラス（自動車の前方側の窓、windshield，windscreen）を見たときにおける左右方向、矢線Ｚは前方向をそれぞれ意味する。
【００１９】
装飾部材１０は、図２に示すように、ダッシュボード材本体２１に重ねた状態で備えられており、ダッシュボード材本体２１と装飾部材１０とがダッシュボード材２２を構成している。装飾部材１０はダッシュボード材本体２１の観察者側表面を覆うように配されている。ダッシュボード材本体２１は、ダッシュボード１４を形成するための形成部材であり、ダッシュボード１４として機能するための耐衝撃性と剛性と耐熱性などを有し、プラスチックから形成されている。ダッシュボード材本体２１を形成するプラスチックとしては、例えば、ポリカーボネート（以下、ＰＣと称する）とアクリロニトリルブタジエンスチレン共重合体（以下、ＡＢＳと称する）とのアロイ（ブレンド）、アクリロニトリル・スチレン・グラスファイバなど公知の種々のものを用いることができ、本実施形態では、ＰＣとＡＢＳとのアロイ（ブレンド）としてある。なお、上記のアクリロニトリル・スチレン・グラスファイバとは、グラスファイバを含有するアクリロニトリルスチレン共重合体であり、アクリロニトリルスチレン共重合体とグラスファイバとのいわゆる複合材料である。この例では、ダッシュボード材本体２１の厚みＴ２１は概ね３ｍｍとしてあるが、これに限定されず、ダッシュボード１４としての目的とする機能と素材とに応じて適宜設定してよい。
【００２０】
装飾部材１０は、この例では、ダッシュボード材本体２１と密着した状態に設けられているが、隙間をもって設けられてもよい。装飾部材１０は、一方の表面に突条の複数のレンズ２３を有する。図２においては、各レンズ２３は、突条が紙面奥行方向に延びているものとして描いてある。装飾部材１０は、各レンズ２３が観察者側に、反対側の面がダッシュボード材本体２１側に向いた状態で配される。したがって、図１において観察者からはレンズ２３が観察される。装飾部材１０は薄いシート状に形成されており、装飾部材１０の厚みＴ１０は０．０６ｍｍ以上５ｍｍ以下であることが好ましく、０．１ｍｍ以上０．５ｍｍ以下であることがより好ましい。この例では、厚みＴ１０は上記範囲内であるものの、位置によって異なる。ただし、厚みＴ１０は一定でもよい。
【００２１】
装飾部材１０は、図３に示すように、シート３１とレンズ部３２と画像形成部３３とを備える。この例でのシート３１は、透明としてあるが、透明に限られず、光が透過する性質、すなわち光透過性を有すればよい。ここでの光は、可視光（波長範囲が概ね３８０ｎｍ以上７５０ｎｍ以下の領域）である。光透過性を有するとは、透明であることと、透光性を有することとの両方を含む。透明とは、光が通過する性質において、透過率が極めて高く、シート３１を通してシート３１の向こう側が透けて見える状態の性質を意味する。透光性を有するとは、光が透過する性質を有しているが、透過する光が拡散されるため、または透過率が低いために、「透明」と違って、シート３１を通してシート３１の向こう側の形状等を明確に認識できない、または全く認識できない状態の性質である。図３においては、説明の便宜上、シート３１の両シート面を平面に描いているが、このシート３１は曲面とされたシート面を有する。なお、曲面の形状の詳細は、別の図面を用いて後述する。
【００２２】
シート３１は、熱可塑性樹脂から形成されており、熱可塑性樹脂としては、ポリエチレンテレフタレート（以下、ＰＥＴと称する）、ＰＣ、トリアセチルセルロース（以下、ＴＡＣと称する）、アクリル、ＡＢＳなどが好ましく、中でも、ＰＣ、アクリルがより好ましく、本実施形態ではＰＣとしている。また、シート３１は、上記熱可塑性樹脂に加えて、屈折率調整剤、酸化亜鉛（ＺｎＯ）、酸化チタン（ＴｉＯ2）等を含んでいてもよい。
【００２３】
装飾部材１０はシート３１を備える必要はないが、備える方が好ましい。シート３１を設け、このシート３１の厚みを調節することにより、装飾部材１０の厚みが調節されるので光路長を調節することができる。
【００２４】
レンズ部３２は、シート３１の一方のシート面（以下、第１シート面と称する）３１ａに設けられており、第１シート面３１ａの曲面に沿って湾曲している。レンズ部３２は、前述のように突条の複数のレンズ２３から構成されており、各レンズ２３は柱状である。これら複数のレンズ２３は互いに接した状態で、突条のレンズ２３が延びた方向（以下、延在方向と称する）と直交する方向に並んで配列、すなわち並列に配されている。なお、各図面における符号ＥＤはレンズ２３の延在方向であり、符号ＬＤは複数のレンズ２３の並び方向である。レンズ部３２は透明である。本実施形態のようにレンズ部３２とシート３１とがともに透明である場合などには互いの境界が視認されないが、図３では説明の便宜上、境界を破線で図示してある。レンズ部３２とシート３１との境界は、図３において隣り合うレンズ２３同士で形成される各谷部を結んだ面である。
【００２５】
レンズ２３は、シリンドリカルレンズとされている。しかし、ここでのシリンドリカルレンズとは、断面形状が厳格な半円柱、すなわち凸のレンズ面（以下、第１レンズ面と称する）の断面形状が円弧である場合に限定されず、第１レンズ面の断面形状が放物線、楕円弧、その他の凸の曲線である場合のレンズも含む。この例では、詳細は別の図面を用いて後述するが、第１レンズ面の断面形状が互いに異なるレンズ２３が混在している。また、レンズ２３は、シリンドリカルレンズに限られず、例えばプリズムでもよい。
【００２６】
レンズ２３の幅Ｗ２３の最小値は、２５．４μｍ以上５０８．０μｍ以下の範囲内である。レンズ２３の幅Ｗ２３とは、図３に示すように、複数のレンズ２３の並び方向ＬＤにおけるレンズ２３の寸法である。レンズ２３の幅Ｗ２３の最小値は、レンズ２３の幅が一定でない場合には、装飾部材１０のレンズ２３の幅のうち最も小さな値である。レンズ２３の幅W２３の最小値が上記のように非常に小さいから、装飾部材１０は、精細さに優れ、後述のように意匠性に優れたものとなっている。レンズ２３の幅Ｗ２３の最小値は５０．８μｍ以上３３８．７μｍ以下の範囲内であることがより好ましく、８４．７μｍ以上２５４．０μｍ以下の範囲内であることがさらに好ましい。
【００２７】
ここで、装飾部材１０は、後述のように造形材３９（図９参照）を成型することによりつくられており、装飾部材１０のレンズ２３は造形材３９のレンズが変形した態様になっている。用いる造形材３９は、レンズのピッチが５０ＬＰＩ（line per inch）以上１０００ＬＰＩの範囲内のものである。本実施形態では、レンズのピッチが５０ＬＰＩ、１００ＬＰＩ、２００ＬＰＩ、３００ＬＰＩ、５００ＬＰＩ、１０００ＬＰＩである各造形材３９を用いて装飾部材１０をつくっており、この場合、成型により変形していない部位のレンズ２３の幅Ｗ２３は、それぞれ、５０８．０μｍ、２５４．０μｍ、１２７．０μｍ、８４．７μｍ、５０．８μｍ、２５．４μｍとなる。レンズ２３の幅Ｗ２３の上記の最小値の上記範囲は、こうして特定されたものである。そして、成型により複数のレンズ２３の並び方向ＬＤにおいて大きく変形した部位のレンズ２３ほど、幅Ｗ２３が大きくなる。例えば並び方向ＬＤにおいて最も伸びた部位の延伸率が１００％である場合には、上記の各ピッチをもつ造形材３９のそれぞれを用いた際に、装飾部材１０の並び方向ＬＤにおいて最も伸びた部位におけるレンズ２３の幅Ｗ２３はそれぞれ１０１６．０μｍ、５０８．０μｍ、２５４．０μｍ、１６９．３μｍ、１０１．６μｍ、５０．８μｍとなる。なお、上記の延伸率は、造形材３９における特定箇所の寸法をＬＸ、成形により得られた装飾部材１０において造形材３９の上記特定箇所に対応する部分の寸法をＬＹとするときに、｛（ＬＹ−ＬＸ）／ＬＸ｝×１００で求める百分率である。
【００２８】
装飾部材１０のレンズ２３のピッチＰ２３は２５．０μm以上５０００．０μm以下が好ましい。ピッチＰ２３は、この範囲内ではあるものの、位置によって異なることが好ましい。なお、ピッチＰ２３は、レンズ２３の第１レンズ面側における頂部間距離である。
【００２９】
レンズ部３２は、熱硬化重合体を含む。熱硬化重合体は、熱硬化性化合物を加熱することにより生成する重合体である。熱硬化性化合物は、加熱により硬化する化合物である。レンズ部３２は、光硬化重合体を含んでいてもよい。光硬化重合体は、光硬化性化合物に光を照射することにより生成する重合体である。光硬化性化合物は、光を照射することにより硬化する化合物である。本実施形態のレンズ部３２は、トリシクロデカンジメタノールジアクリレート（以下、ＡＤＣＰと称する）の硬化生成物を含む。なお、シート３１もこれらの熱硬化重合体及び／または光硬化重合体を含んでいてもよい。
【００３０】
画像形成部３３は、装飾部材１０をレンズ部３２側から観察した際に、観察点の移動によって異なる画像が観察されるためのいわゆる画像表示体である。画像形成部３３は、シート３１の第２シート面３１ｂに、この第２シート面３１ｂの曲面に沿って湾曲した状態に、この例では層状に設けられている。画像形成部３３は、画像が記録された記録層としての印刷層３５と、印刷層３５が設けられた支持体３６とを備える。第２シート面３１ｂには印刷層３５が接している。なお、この例では、印刷層３５を支持体３６に設けた画像形成部３３が、第２シート面３１ｂに配されているが、この態様に限らない。例えば、印刷層３５のみからなる画像形成部を第２シート面３１ｂに設けてもよい。
【００３１】
装飾部材１０には、この例では、並び方向ＬＤにおいて異なる２箇所の第１観察点と第２観察点とが設定されており、第１観察点からは第１の画像３７を観察できるように、第２観察点からは第１の画像３７と異なる第２の画像３８を観察できるようにしてある。このように、装飾部材１０は、可変視用の複数の画像を有する。第１観察点と第２観察点とのそれぞれにおいては、左右の目によって同一の画像が観察される。印刷層３５は、第１の画像３７と第２の画像３８とのそれぞれに応じた線状の画像部（以下、線状画像部と称する）３７ａ，３７ｂ，３７ｃ，・・・，３８ａ，３８ｂ，３８ｃ，・・・を、支持体３６の表面に形成し、記録したものである。第１の画像３７を構成する線状画像部３７ａ，３７ｂ，３７ｃ，・・・と第２の画像３８を構成する線状画像部３８ａ，３８ｂ，３８ｃ，・・・とは、それぞれ延在方向ＥＤに延びており、並び方向ＬＤにおいて交互に、かつ、各レンズ２３に対応するように１対ずつ配されている。すなわち、図３に示すように、印刷層３５は、並び方向ＬＤにおいて、複数のレンズ２３の個々に対応する複数の領域に分割されており、これら複数の領域は、線状画像部３７ａと線状画像部３８ａとの対、線状画像部３７ａと線状画像部３８ｂとの対、線状画像部３７ｃと線状画像部３８ｃとの対、・・・からそれぞれ構成されている。
【００３２】
この例では、並び方向ＬＤにおいて、観察点を２つに設定していることから画像の数を、第１の画像３７と第２の画像３８との２つとしているが、設定する観察点の数と画像の数とは２つに限られない。すなわち、並び方向ＬＤにおいて、設定する観察点の数と可変視用の画像の数とは３以上であってもよい。
【００３３】
この例では、線状画像部３７ａ，３７ｂ，３７ｃ，・・・のそれぞれは、延在方向ＥＤに延びたひとつの領域として形成されているが、これに限られない。例えば、線状画像部３７ａ，３７ｂ，３７ｃ，・・・のそれぞれは、延在方向ＥＤにおいて分割された複数の矩形の領域によって構成されてもよい。そして、これらの矩形の領域は、互いに同じ画像であってもよいし、あるいは異なる画像であってもよい。線状画像部３８ａ，３８ｂ，３８ｃ，・・・のそれぞれについても同様である。
【００３４】
第１の画像３７と第２の画像３８とは、可変視用の画像に限られず、立体視用の画像でもよい。すなわち、左目と右目との視差によって立体画像が観察されるような右視点画像と左視点画像とを第１の画像３７と第２の画像３８とにしてもよい。また、第１の画像３７を、第１観察点において観察される立体視用の画像とし、かつ、第２の画像３８を第２観察点において観察され第１の画像３７とは異なる立体視用の画像としてもよく、このように、第１の画像３７と第２の画像３８とは、立体視用の画像が可変視用に組み合わされた画像であってもよい。
【００３５】
第１の画像３７と第２の画像３８とは、可変視用と立体視用とのいずれの画像とも異なる画像でもよい。例えば、第１の画像３７と第２の画像３８とによってひとつの柄である例えば一風景または一場面の描写等の画像を構成してもよい。
【００３６】
この例では、第１の画像３７と第２の画像３８とを互いに異なるものとしているが、互いに同じものであってもよい。例えば、複数の色または明度が異なる一色によって形成された規則的または周期的なパターンの同じ画像を、第１の画像３７と第２の画像３８とにしてもよいし、色と明度と光沢度とのそれぞれが互いに同じ画像を第１画像３７と第２の画像３８とにしてもよい。複数の色によって形成された規則的または周期的なパターンの画像としては、例えば、石材調と土壁調の画像等が挙げられる。明度が異なる一色によって形成された規則的または周期的なパターンの画像としては、例えば、カーボン素材調の画像等が挙げられる。色と明度と光沢度とのそれぞれが互いに同じ画像としては、鏡面状の黒色に観察されるいわゆるピアノブラックの画像と、真珠表面のような光沢ある白色に観察されるいわゆるパールホワイトの画像等が挙げられる。
【００３７】
印刷層３５は、塗料により形成したものであり、本例では顔料により形成している。印刷層３５は、顔料以外の塗料であってもよく、例えば、染料等でもよい。シート３１を前述のＰＥＴ，ＰＣ，ＴＡＣにより形成している場合には、このシート３１に顔料を用いて印刷層３５を形成することが好ましい。
【００３８】
本実施形態における記録層は、印刷により形成された印刷層３５としている。しかし記録層はこれに限定されず、例えば、画像が転写により形成された転写層、顔料または染料により描かれた絵画または書画などであってもよい。装飾部材１０は、以上の構成により、外部から装飾部材１０に入射し、印刷層３５とシート３１との界面において反射した光を、複数のレンズ２３により屈折させ、これにより、光の見え方に変化を与える。
【００３９】
シート３１の第１シート面３１ａ及び第２シート面３１ｂとの曲面について、図４を参照しながら説明する。なお、第１シート面３１ａと第２シート面３１ｂとは同様の形状をもつので、第１シート面３１ａについて詳細に説明し、第２シート面３１ｂについては説明を略す。シート３１は、図４に示すように装飾部材１０の前面部１０Ａ（図１参照）の構成部材である前面部３１Ａと、側面部１０Ｂ（図１参照）の構成部材である側面部３１Ｂとが一体に形成されたものである。第１シート面３１ａは、法線の方向が異なる３つの領域を有しており、各領域の法線の方向のうち１つが他の２つを含む平面に傾きをもつ曲面とされている。具体的には以下である。
【００４０】
前面部３１Ａの第１シート面３１ａ上の任意の２つの領域を第１領域ＡＲ１と第２領域ＡＲ２とし、側面部３１Ｂの第１シート面３１ａ上の任意の領域を第３領域ＡＲ３とする。なお、図４においては、第１領域ＡＲ１と第２領域ＡＲ２とは、ＸＺ平面上に採っているが、これに限られない。第１領域ＡＲ１からの法線を第１法線Ｎ１とし、第２領域ＡＲ２からの法線を第２法線Ｎ２とし、第３領域からの法線を第３法線Ｎ３とするときに、第１法線Ｎ１の方向と第２法線Ｎ２との方向とを含む平面ＰＬが観念される。このように、平面ＰＬは、２つの「方向」を含む平面である。よって、本例のように２つの「直線（第１法線Ｎ１と第２法線Ｎ２）」がねじれの位置にない場合、平面ＰＬは、２つの直線を含む平面と同じ平面となる。一方、２つの直線がねじれの位置にある場合、この２つの直線を含む平面は観念できないが、この２つの直線の「方向」を含む平面は観念可能であり、この平面（ねじれの位置にある２つの直線の「方向」を含む平面）が平面ＰＬとして観念される。すなわち、平面ＰＬは、２つの直線を含む平面として定義しておらず、２つの直線の「方向」を含む平面として定義しているので、第１法線Ｎ１と第２法線Ｎ２とが仮にねじれの位置にある場合であっても、平面ＰＬは観念される。そして、第３法線Ｎ３の方向は、平面ＰＬに対して傾いている。なお、第１領域ＡＲ１と第２領域ＡＲ２とを側面部３１Ｂから採り、かつ、第３領域ＡＲ３を前面部３１Ａから採ってもよい。また、第１領域ＡＲ１と第３領域ＡＲ３とを前面部３１Ａから採り、かつ、第２領域ＡＲ２を側面部３１Ｂから採ってもよい。第２シート面３１ｂについても同様である。
【００４１】
したがって、第１シート面３１ａと第２シート面３１ｂとを有するシート３１は、レンズ２３の延在方向ＥＤと複数のレンズ２３の並び方向ＬＤとに曲がっている。そして、レンズ部３２（図３参照）と画像形成部３３（図３参照）はそれぞれ、以上のような曲面に沿って湾曲して設けられているから、装飾部材１０（図３参照）も、レンズ２３の延在方向ＥＤと、複数のレンズ２３の並び方向ＬＤとに、曲がった形状を有する。
【００４２】
これにより、反射した光に不均一さをもった画像として印刷層３５の第１の画像３７と第２の画像３８とがそれぞれ観察され、たとえば色の濃淡及び／または明度差をもって観察される。可変視用の第１の画像３７と第２の画像３８とが形成されている場合には、第１観察点と第２観察点との一方から他方への移動によって、観察される画像が第１の画像３７から第２の画像３８へ、または第２の画像３８から第１の画像３７へと切り替わり、切り替え後の画像においても、光の見え方に変化を与える。そのため、観察点の移動中は、光の見え方が装飾部材１０の部位毎に異なり、また、切り替わりのタイミングも部位毎に異なるから、観察される画像は、従来の平坦なレンチキュラシートまたはプリズムシートに画像形成層がある場合及びこれらを単に丸めた場合と比べて、より変化に富んだ例えば図柄として観察される。その結果、意匠性が高まり、装飾性に富む内装となる。さらに、装飾部材１０は、前述の曲面からなる第１シート面３１ａと第２シート面３１ｂとを有するシート３１と同様の湾曲形状をもつ。そのため、装飾部材１０は、第１の画像３７と第２の画像３８との一方から他方への切り替わりが認められる観察点の移動方向は並び方向ＬＤのひとつのみではなく、複数存在する。したがって、当初設定した上記の第１観察点と第２観察点との他に、移動によって画像の切り替わりが認められる観察点が発現する。
【００４３】
以上のように、装飾部材１０は、レンズ２３の並び方向ＬＤ及び／または延在方向ＥＤに曲がっていることにより、任意の１観察点における光の見え方がより複雑になっており、また、観察点の移動によって光として認識される画像の見え方もより複雑になり、意匠性がより高まる。
【００４４】
第１シート面３１ａと第２シート面３１ｂとは、曲率半径が小さくてもレンズ２３の幅であること、すなわち２５．４μｍ以上であることが好ましく、本実施形態では０．１ｍｍ以上０．６ｍｍ以下の範囲としており、部位によって異なる。レンズ２３の幅が一定でない場合には、装飾部材１０のレンズ２３の幅のうち最も小さな寸法を、曲率半径がとりうる最小値とする。第１シート面３１ａと第２シート面３１ｂとの曲率半径は、０．０２５ｍｍ以上であれば上記作用はより確実に得られ、また、１０００ＬＰＩ程度の高精細な画像にまで対応することができる。また、レンズ２３のピッチＰ２３に比べて第１シート面３１ａと第２シート面３１ｂとの曲率半径が大きいほど（例えば１０倍程度大きい場合）、第１の画像３７と第２の画像３８とを可変視用の画像とする場合の画像の切り替わりがより確実に認識されやすくなる。なお、装飾部材１０は、平面状の部位を備えてもよい。平面状の部位の曲率半径は無限大であるから、第１シート面３１ａと第２シート面３１ｂとの曲率半径の最大値は無限大である。第１シート面３１ａと第２シート面３１ｂとの曲率半径は０．１ｍｍ以上がより好ましい。
【００４５】
シート３１は、レンズ２３の延在方向ＥＤに沿って曲率が変化していることが好ましい。本実施形態においては、前面部１０Ａの任意の一のレンズ２３の延在方向ＥＤに沿って、シート３１の曲率が変化している。したがって、前面部１０Ａも上記レンズ２３の延在方向ＥＤに沿って曲率が変化している。例えば、図５においては、鉛直方向Ｘにおける中央から上方と下方とのそれぞれに向かうに従い、シート３１及び前面部１０Ａは曲率が連続的に漸増している。これにより、観察点の移動による光の見え方がより複雑になっており、意匠性がより高まる。なお、図５においては図の煩雑化を避けるため、断面を示すハッチングは図示を略してある。
【００４６】
また、前面部１０Ａのレンズ部３２は、図５に示すように、延在方向ＥＤにおける第１位置と第２位置との断面形状が異なるレンズ２３を複数含んでいることが好ましい。ここで、図５における鉛直方向Ｘでの中央を第１位置Ｐ１とし、上側端部に第２位置Ｐ２をとる。第１位置Ｐ１の断面（図６Ａ参照）は第２位置Ｐ２の断面（図６Ｂ参照）と比べると、レンズ２３の幅は概ね同じであるが、高さは高く、断面が略半円状である。第２位置Ｐ２のレンズ２３は、図６Ｂに示すように、半円がつぶれた形状となっている。レンズ２３の断面形状は、第１位置Ｐ１から第２位置Ｐ２に向かって連続的に変化している。なお、第１位置Ｐ１と第２位置Ｐ２との各断面は、装飾部材１０を後述の熱加工により製造する場合の条件により、逆になる場合もある。
【００４７】
レンズ部３２（図３参照）の厚みＴ３２は、レンズ２３の延在方向ＥＤに沿って変化していることが好ましく、本実施形態でもそのようにしてある。図５に示すように、レンズ部３２の厚みＴ３２は、鉛直方向Ｘにおける中央から上方と下方とのそれぞれに向かうに従い、連続的に漸減している。
【００４８】
上記のように、延在方向ＥＤにおける第１位置Ｐ１と第２位置Ｐ２との断面形状が異なるレンズ２３をレンズ部３２が有しているから、及び／または、厚みＴ３２がレンズ２３の延在方向ＥＤに沿って変化しているから、光の見え方がより複雑化し、意匠性がより確実に高まる。例えば、第１観察点が第１位置Ｐ１に対向する位置であり、かつ、第１観察点で観察される際の焦点位置が第１位置Ｐ１におけるシート３１と画像形成部３３との界面上にある場合には、第１観察点においては、第１位置Ｐ１の画像は輪郭及び／または色味などが鮮明に観察されるが、第２位置Ｐ２の画像は輪郭及び／または色味などが第１位置Ｐ１の画像よりも不鮮明に観察される。また、この例によると、第１位置Ｐ１から第２位置Ｐ２に向かうに従い、レンズ２３の断面形状が連続的に変化している。このため、第１位置Ｐ１から第２位置Ｐ２に向かうに従い、その鮮明度が連続的に変化している。よって、装飾部材１０はその湾曲した形状がより確実に生かされ、任意の１観察点において観察した際に遠近感（奥行感，立体感）がより確実に感じられる。また、観察点の移動の際には、遠近感（奥行感，立体感）と相まって、動画感あるいは残像感が強調される、または、色調の変化が複雑化するなどにより、意匠性が高まる。さらに、光量が少ない環境下、例えば夜間でも風合いが感じられるなど、意匠性が高まる。
【００４９】
一方、第２観察点が第２位置Ｐ２に対向する位置であり、かつ、第２観察点で観察される際の焦点位置が第２位置Ｐ２におけるシート３１と画像形成部３３との界面上にある場合には、第２観察点においては、第２位置Ｐ２の画像は輪郭及び／または色味などが鮮明に観察されるが、第１位置Ｐ１の画像は輪郭及び／または色味などが第２位置Ｐ２の画像よりも不鮮明に観察される。そのため、第１観察点から第２観察点へ移動するに伴い、焦点位置が第１位置Ｐ１から第２位置Ｐ２へと連続的に変化する。その結果、第１観察点が第１位置Ｐ１に対向する位置であり、かつ、第１観察点で観察される際の焦点位置が第１位置Ｐ１におけるシート３１と画像形成部３３との界面上にある場合と同様に、印刷層３５の画像はより変化に富んだ光として観察される。
【００５０】
シート３１は、複数のレンズ２３の並び方向ＬＤに沿って曲率が変化していることが好ましく、本実施形態でもそのようにしている。したがって、図７に示すように、装飾部材１０も全体として複数のレンズ２３の並び方向ＬＤに沿って曲率が変化している。なお、この例の装飾部材１０は、左右方向Ｙにおける中央に関して対称であるので、図７においては、左右方向Ｙの右側半分のみを図示してある。図７に示すように、左右方向Ｙにおける中央から端部へ向かうに従い、シート３１及び装飾部材１０は曲率が連続的に漸増している。これにより、視点の移動による光の見え方がより複雑になっており、意匠性がより高まる。なお、図７においては図の煩雑化を避けるため、断面を示すハッチングは図示を略してある。
【００５１】
また、レンズ部３２は、図７に示すように、複数のレンズ２３の並び方向ＬＤにおける第３位置におけるレンズ２３の断面の形と第４位置におけるレンズ２３の断面の形とが互いに異なることが好ましい。ここで、図７における左右方向Ｙでの中央を第３位置Ｐ３とし、下側端部に第４位置Ｐ４をとる。第３位置Ｐ３のレンズ２３の断面（図８Ａ参照）は第４位置Ｐ４のレンズ２３の断面（図８Ｂ参照）を比べると、レンズ２３の幅が小さく、かつ高さが高い形状となっている。そして、レンズ２３の断面の形は、第３位置Ｐ３から第４位置Ｐ４に向かって連続的に変化している。なお、第３位置Ｐ３と第４位置Ｐ４との各断面の形は、装飾部材１０を後述の熱成型により製造する場合の条件により、逆になる場合もある。
【００５２】
レンズ部３２（図３参照）の厚みＴ３２は、複数のレンズ２３の並び方向ＬＤに沿って変化していることが好ましく、本実施形態でもそのようにしてある。図７に示すように、レンズ部３２の厚みＴ３２は、左右方向Ｙにおける中央から端部に向かうに従い、連続的に漸減している。
【００５３】
上記のように、並び方向ＬＤにおける第３位置Ｐ３と第４位置Ｐ４との断面の形が互いに異なる複数のレンズ２３をレンズ部３２が有しているから、及び／または、厚みＴ３２が複数のレンズ２３の並び方向ＬＤに沿って変化しているから、光の見え方がより複雑化し、意匠性がより確実に高まる。例えば、第１観察点が第３位置Ｐ３に対向する位置であり、かつ、第１観察点で観察される際の焦点位置が第３位置Ｐ３におけるシート３１と画像形成部３３との界面上にある場合には、第１観察点においては、第３位置Ｐ３の画像は輪郭及び／または色味などが鮮明に観察されるが、第４位置Ｐ４の画像は輪郭及び／または色味などが第３位置Ｐ３の画像よりも不鮮明に観察される。また、この例では、第３位置Ｐ３から第４位置Ｐ４に向かうに従い、レンズ２３の断面形状が少しずつ変化している。このため、第３位置Ｐ３から第４位置Ｐ４に向かうに従い、その鮮明度がほぼ連続的に変化している。よって、装飾部材１０はその湾曲した形状がより確実に生かされ、任意の１観察点において観察した際に遠近感（奥行感，立体感）がより確実に感じられる。また、観察点の移動の際の前述の作用もより強調される。さらに、光量が少ない環境下、例えば夜間でも風合いが感じられるなど、意匠性が高まる。
【００５４】
一方、第２観察点が第４位置Ｐ４に対向する位置であり、かつ、第２観察点で観察される際の焦点位置が第４位置Ｐ４のシート３１と画像形成部３３との界面上にある場合には、第２観察点においては、第４位置Ｐ４の画像は輪郭及び／または色味などが鮮明に観察されるが、第３位置Ｐ３の画像は輪郭及び／または色味などが第４位置Ｐ４の画像よりも不鮮明に観察される。そのため、第１観察点から第２観察点へ移動するに伴い、焦点位置が第３位置Ｐ３から第４位置Ｐ４へと連続的に変化する。その結果、第１観察点が第３位置Ｐ３に対向する位置であり、かつ、第１観察点で観察される際の焦点位置が第３位置Ｐ３におけるシート３１と画像形成部３３との界面上にある場合と同様に、印刷層３５の画像はより変化に富んだ光として観察される。
【００５５】
装飾部材１０は、上記のように、曲がっている並び方向及び／または曲がっている延在方向ＥＤにおいて、曲率、レンズ２３の断面形状、及び／または厚みＴ３２などが変化しているので、印刷層３５を構成する第１の画像３７と第２の画像３８とに応じて、以下の作用を有する。第１の画像３７と第２の画像３８とが、互いに同じ画像とされている場合には、色調が例えば深みとして強調され、これが遠近感（奥行感，立体感）として感じられる。また、第１の画像３７と第２の画像３８とが、可変視用の互いに異なる画像である場合には、観察点の移動の際に、遠近感（奥行感，立体感）と相まって、動画感あるいは残像感が強調される、または、色調の変化が複雑化するなどにより、意匠性が高まる。また、第１の画像３７と第２の画像３８とが互いに異なる色を用いて形成されている場合には、任意の１観察点における観察と観察点の移動の際との少なくともいずれか一方において、互いの色が混じった状態に観察されることもある。また、延在方向ＥＤにおいて曲がっている部位の範囲とその範囲における曲率に応じて、観察点の移動により得られる上記の各作用は、段階的な変化として感じられることもあるし、連続的な変化として感じられることもあるから、意匠性に富む。
【００５６】
装飾部材１０は、同様の層構造をもつ平面状のシートとされた造形材３９（図９参照）から製造することができる。同様の層構造とは、光透過性を有するシート（図示無し）と、このシートの一方のシート面に設けられ、突条のレンズから形成されているレンズ部（図示無し）と、シートの他方のシート面に設けられ、画像が形成されている画像形成部とを備える構造である。ただし、レンズ部の厚みと、複数のレンズの形状とは、装飾部材１０のようにそれぞれ異なっている必要はなく、それぞれ均一でもよい。またすべてのレンズの個々は、断面形状が延在方向ＥＤにおいて一定であってもよい。
【００５７】
この例の造形材３９のレンズ部とシートとから構成される部分は、いわゆるレンチキュラシートの態様とされている。レンズのピッチは本実施形態では例えば０．１２７ｍｍとしているが、これに限られず０．０２５ｍｍ以上５．０ｍｍ以下の範囲内が好ましい。なお、このピッチもピッチＰ２３と同様に、レンズの頂部間距離である。
【００５８】
造形材３９のシートと画像形成部との各素材は、シート３１と画像形成部３３との各素材と同じである。レンズ部は、加熱により前述の熱硬化重合体を生成する熱硬化性化合物、及び／または、前述の光硬化重合体を含む。そして、熱硬化性化合物は、完全には硬化していないいわゆる半硬化状態とされている。熱硬化性化合物としては、例えば、トリシクロデカンジメタノールジアクリレート（以下、ＡＤＣＰと称する）、ビスフェノールＡ（以下、Ｂｉｓ−Ａと称する）、フェノール樹脂が挙げられ、本実施形態ではＡＤＣＰを用いている。
【００５９】
装飾部材１０の製造方法について、以下に説明する。装飾部材１０は、造形材３９を製造する造形材製造工程と、造形材３９を装飾部材１０に成型する成型工程とにより製造される。図９に示すように、造形材３９を製造する造形材製造装置４０は、送出機４１と、塗布機４２と、レンズ形成ユニット４５、巻取機４６などから構成されている。
【００６０】
送出機４１は、造形材３９のシートになる長尺かつ光透過性のシート部材と画像形成部となる形成部材とが厚み方向において重なったフィルム５１をレンズ形成ユニット４５へ供給するためのものである。この例ではフィルム５１はロール状に巻かれており、送出機４１は、ロール状にフィルム５１が巻かれたフィルムロール（図示）がセットされ、このフィルムロールからフィルム５１を送り出す。このフィルム５１は、塗布機４２により形成される塗膜５２の支持体としても機能する。なお、レンズ形成ユニット４５と巻取機４６との間には、周方向に回転する駆動ローラ（図示無し）が配されている。フィルム５１は、この駆動ローラに巻き掛けられており、駆動ローラの回転により造形材製造装置４０の下流に向かってフィルム５１は搬送される。
【００６１】
塗布機４２は、フィルム５１に塗膜５２を形成するためのものである。この塗膜５２はレンズ形成ユニット４５により、造形材３９のレンズ部にされる。塗布機４２は、供給される塗布液５３を、連続的に流出する。長手方向に走行するフィルム５１に向けて塗布液５３が流出することにより、フィルム５１の一方のフィルム面に塗膜５２が形成される。塗膜５２が形成されたフィルム５１は、レンズ形成ユニット４５へ案内される。
【００６２】
塗布液５３は、熱硬化性化合物を含む。本実施形態においては、この熱硬化性化合物は、後述の加熱器５７による加熱により、造形材３９のレンズ部に含まれる前述の熱硬化性化合物を生成する。本実施形態では、レンズ部に光硬化重合体を含む造形材３９を製造するから、塗布液５３には、光硬化性化合物も含ませてある。本実施形態における光硬化性化合物は前述のＡＤＣＰとしてあるが、これに限られず、モノマー、オリゴマー、ポリマーのいずれでもよい。なお、用いる熱硬化性化合物と光硬化性化合物とによっては、塗布液５３はこれらの溶剤を含んでいてもよい。
【００６３】
レンズ形成ユニット４５は、造形材３９の各レンズを形成（賦形）するためのものである。レンズ形成ユニット４５は、賦形機５６と、加熱器５７と、光源５８などから構成されている。
【００６４】
賦形機５６は、突条のレンズを形成するためのものである。賦形機５６は、第１支持ローラ６１と、第２支持ローラ６２と、形状付与部材としての形状付与ローラ６３とを備える。第１支持ローラ６１と第２支持ローラ６２と形状付与ローラ６３とは回転軸をフィルム５１の幅方向、すなわち図５の紙面奥行き方向にした状態で配してある。上流側から順に第１支持ローラ６１、形状付与ローラ６３、第２支持ローラ６２が配置されている。
【００６５】
第１支持ローラ６１と第２支持ローラ６２とは、この例では、フィルム５１の搬送路に関して塗膜５２とは反対側に配されており、周面にフィルム５１が巻き掛けられる。第１支持ローラ６１と第２支持ローラ６２とは、フィルム５１の搬送にともなって従動回転する。第１支持ローラ６１と第２支持ローラ６２とをモータによりフィルム５１の搬送に同期して回転させてもよい。
【００６６】
形状付与ローラ６３は、第１支持ローラ６１と第２支持ローラ６２とに対向した状態に設けてあり、フィルム５１の搬送路に関して塗膜５２側に配されている。形状付与ローラ６３は、第１支持ローラ６１及び第２支持ローラ６２と協働して、塗膜５２に、半円柱状に突出したレンズ面をもつレンズ部を連続的に形成する。すなわち、第１支持ローラ６１と第２支持ローラ６２とは、フィルム５１を支持する支持部材として機能するとともに、突出したレンズ面を形成するための形状付与の部材としても機能する。
【００６７】
形状付与ローラ６３の周面には、レンズ部を形成するために、断面半円柱状の凹部６３ａが複数形成されている。各凹部６３ａは、形状付与ローラ６３の軸方向、すなわちフィルム５１の幅方向に延びており、複数の凹部６３ａは形状付与ローラ６３の周方向に沿って並んで形成されている。この形状付与ローラ６３は、第１支持ローラ６１及び第２支持ローラ６２とのそれぞれの間にフィルム５１を狭持した状態で、モータ６６により回転する。形状付与ローラ６３の回転方向は、フィルム５１を搬送する方向（図５中における反時計回りの方向）である。この形状付与ローラ６３は、搬送中のフィルム５１を、第１支持ローラ６１上と、第２支持ローラ６２上と、第１支持ローラ６１と第２支持ローラ６２との間とのそれぞれにおいて、塗膜５２側から押圧することにより塗膜５２に凹部６３ａの形状を転写し、レンズ部を形成する。なお、各凹部６３ａが、形状付与ローラの周方向、すなわちフィルム５１の長手方向に延びており、複数の凹部６３ａが形状付与ローラの軸方向に沿って並んで形成されていてもよい。形状付与ローラ６３の凹部６３ａの形状は、形成するレンズの形状に応じて決められている。
【００６８】
形状付与ローラ６３には、本実施形態のように圧力調整機６７が設けられていることが好ましい。この圧力調整機６７は、凹部６３ａの形状を転写する際の、塗膜５２に対する形状付与ローラ６３の押圧力を調整するものである。この圧力調整機６７は押圧力を調整することにより、より確実にレンズ部を形成する。
【００６９】
加熱器５７は、形成されたレンズ部中の熱硬化性化合物を硬化するが、熱硬化性化合物が後工程でさらに硬化を進められるように、半硬化状態とする。加熱器５７は、賦形機５６の下流の搬送路を囲んで配されており、加熱された例えば空気などの気体を内部に供給する。この加熱器５７を通過することにより、賦形機５６により形成されたレンズ部中の熱硬化性化合物の硬化が進む。熱硬化性化合物の残存の有無及び残存率は、ＦＴ−ＩＲ（Fourier transform infrared spectrometer、フーリエ変換赤外分光光度計）のスペクトル分析で、硬化前と硬化後とを比較することにより、確認及び定量することができる。本実施形態においては、８１０ｃｍ-1および１６３５ｃｍ-1のピーク強度をそれぞれ硬化前と硬化後とを比較することにより確認及び定量している。８１０ｃｍ-1のピークは、ビニル基のＣ−Ｈ（炭素と水素との単結合）面外変角振動に対応し、１６３５ｃｍ-1のピークは、ビニル基のＣ＝Ｃ（炭素と炭素との二重結合）伸縮振動に対応する。
【００７０】
用いる熱硬化性化合物の種類に応じて、加熱器５７の内部温度と、加熱器５７を通過する時間とを調節することにより、熱硬化性化合物の残存量ないし残存率を調節する。加熱器５７の内部温度、すなわち内部に送り込む気体の温度は、１００℃以上２００℃以下の範囲内が好ましく、本実施形態では１６０℃としている。加熱器５７を通過する時間、すなわち加熱処理の時間は、１０秒以上２００秒以下の範囲内が好ましく、本実施形態では３０秒としている。これにより、本実施形態では第１の熱硬化性化合物を含んだ状態に造形材３９が得られている。
【００７１】
加熱器５７と、例えば輻射式のヒータ（図示無し）及び／または加熱された気体を送出する送風機（図示無し）などの各種加熱装置との少なくともいずれかを用いてもよい。なお、賦形機５６の下流に設けている加熱器５７に加えて、上記のような各種加熱装置を、形状付与ローラ６３の上流において第１支持ローラ６１と対向する位置、形状付与ローラ６３と対向したフィルム５１側の位置、形状付与ローラ６３の下流において第２支持ローラ６２と対向する位置などに設けてもよい。これらのいずれかの位置に上記のような各種加熱装置を設けて用いた場合には、賦形機５６の下流に設けている加熱器５７を用いなくてもよい。
【００７２】
光源５８は、光硬化性化合物を硬化して光硬化重合体を生成するためのものである。光源５８は、形状付与ローラ６３と対向した状態に設けられており、紫外線を射出する。フィルム５１が形状付与ローラ６３に巻き掛けられた状態で通過する間に、光源５８からの光がフィルム５１を介して塗膜５２へ照射され、光硬化性化合物が硬化し、これにより光硬化重合体が生成する。
【００７３】
光源５８が射出する光の種類と、光を射出する出力とは、光硬化性化合物の種類による。光源５８、及び／または、他の光源（図示無し）を設けてもよい。他の光源を光源５８に加えて用いる場合には、他の光源は、形状付与ローラ６３の上流において第１支持ローラ６１と対向する位置、形状付与ローラ６３と対向したフィルム５１側の位置、形状付与ローラ６３の下流において第２支持ローラ６２と対向する位置などに設けることができる。
【００７４】
巻取機４６は、得られた長尺の造形材３９を巻き芯（図示無し）に巻き取り、ロール状にする。ロール状にされた造形材３９は、後述の成型装置７０に供する前に、切断機によりシート状にカットされる。そこで、造形材製造装置４０には、巻取機４６を用いずに、この巻取機４６の位置に、長尺の造形材３９をシート状にカットする切断機（図示無し）を設けてもよい。また、シートを備えない造形材を製造する場合には、レンズ形成ユニット４５と巻取機４６との間に、シート部分をレンズ部部分から剥ぎ取る剥取機（図示無し）をもうけてシート部部分を剥ぎ取ればよい。なお、この例では、形状付与部材として形状付与ローラ６３を用いているが、形状付与部材はこれに限られない。例えば枚葉の造形材を製造する場合などには、表面に凹部６３ａが形成された例えば板状の形状付与部材を用いてもよい。
【００７５】
図１０に示す成型装置７０は、シート状の造形材３９を成型して装飾部材１０にするためのものである。成型装置７０は、金型ユニット７２、移動機構７３、ヒータ７４、及び制御部７６を備え、加熱下において熱成型処理をするものである。ただし、成型方法は、熱成型に限られず、例えば、真空成型、真空圧空成型などの手法を用いてもよい。
【００７６】
金型ユニット７２は、第１金型７７、第２金型７８、及び胴型７９を有する。胴型７９は、圧縮方向と直交する図６における水平方向の断面形状が矩形である。胴型７９は、第１金型７７及び第２金型７８による圧縮方向に貫通するガイド穴７９ａを有する。なお、圧縮方向は、図１０における上下方向である。第１金型７７及び第２金型７８は、ガイド穴７９ａの内壁にガイドされており、圧縮方向に移動自在である。第１金型７７及び第２金型７８は、胴型７９内において、造形材３９を圧縮成型することにより、装飾部材１０を成型する。造形材３９は、装飾部材１０の圧縮成型に適した形状に形成されている。
【００７７】
第１金型７７及び第２金型７８には、互いに対向する対向面に、それぞれ装飾部材１０の湾曲形状をもつ第２レンズ面１１Ｂと第１レンズ面１１Ａを形成するための転写面７７ａ、７８ａが形成されている。第１金型７７の転写面７７ａは凸型に形成されており、第２金型７８の転写面７８ａは凹型に形成されている。
【００７８】
移動機構７３は、第１金型７７と第２金型７８とをそれぞれ、互いの距離を増減する方向に移動する。また、造形材３９を胴型７９内に収容する場合には、第１金型７７を上方に移動することにより、胴型７９から退避させる。ヒータ７４は、金型ユニット７２を加熱することにより、胴型７９内の造形材３９を加熱する。移動機構７３及びヒータ７４は、制御部７６によって制御される。制御部７６は、ヒータ７４の発熱量を制御することにより、胴型７９内の温度を調節する。
【００７９】
上記の装飾部材１０は、一方向に突出した湾曲形状をもつ立体造形物の例であるが、複数方向に湾曲した形状の立体造形物でもよい。すなわち、造形材３９は、複数方向に湾曲した形状の立体造形物にも成型可能であり、そのためには成型装置７０の金型ユニット７２を、目的とする立体造形物の湾曲形状に応じた金型ユニットに代えればよい。
【実施例】
【００８０】
［実施例１］〜［実施例６］
造形材製造装置４０により６種類の造形材３９をつくった。得られた各造形材３９から、成型装置７０を用いてそれぞれ装飾部材１０を製造し、実施例１〜６とした。６種類の造形材３９は互いに、レンズのピッチが異なる。各造形材３９のレンズのピッチは、表１の「造形材のレンズのピッチ」欄に示す。各造形材３９は、装飾部材１０にされるにあたり、並び方向ＬＤにおいて最も伸びた部位の延伸率が１００％であった。各装飾部材１０において、レンズ２３の幅Ｗ２３は一定ではなく、部位によって異なっていた。各装飾部材１０におけるレンズ２３の幅Ｗ２３は、表１の「装飾部材のレンズの幅」欄に示す。なお、「装飾部材のレンズの幅」欄の数値範囲は、「〜」の前後の数値を含む。画像形成部３３には、可変視用の前述の第１の画像３７と第２の画像３８とを形成した。【００８１】
得られた各装飾部材１０につき、画像の鮮明性と、画像の切り替え性とを評価した。各評価方法と評価基準とは下記の通りであり、評価結果は表１に示す。【００８２】
１．画像の鮮明性
装飾部材１０を目視で観察し、画像がどの程度細部まで観察されるかを評価した。評価基準は以下の通りである。Ｓは評価の基準としたレベルであり、このレベルは不合格である。Ａ〜Ｃは合格である。Ｓよりも細部がより明確に観察された場合には、Ａ〜Ｃのいずれかであると評価し、この合格のレベルを３段階にした。
Ａ；細部が非常に明確であった。
Ｂ；全体的に下記のＣよりも細部がより明確であり、上記Ａと同じ程度に非常に明確な部分もあった。
Ｃ；下記のＳよりも細部が明確であった
Ｓ；後述の比較例１で得られた装飾部材において観察されたレベルである【００８３】
２．画像の切り替え性
装飾部材１０を、第１観察点から第２観察点へ移動しながら目視で観察した。観察された第１の画像３７と第２の画像３８との切り替わりの連続性（なめらかさ）を評価し、連続的であるほど違和感が少なく、画像の切り替え性に優れるものとして評価した。評価基準は以下の通りである。Ｓは評価の基準としたレベルであり、このレベルは不合格である。Ａ〜Ｃは合格である。Ｓよりも細部がより明確に観察された場合には、Ａ〜Ｃのいずれかであると評価し、この合格のレベルを３段階にした。
Ａ；第１観察点から第２観察点への移動において第１の画像３７と第２の画像３８との切り替わりが極めて連続的（なめらか）であり、違和感は全くなかった。
Ｂ；第１観察点から第２観察点への移動において第１の画像３７と第２の画像３８との切り替わりが連続的で、違和感はほとんどなかった。
Ｃ；第１観察点から第２観察点への移動において第１の画像３７と第２の画像３８との切り替わりが不連続な部分もあったが、下記のＳよりも違和感が少なかった
Ｓ；後述の比較例１で得られた装飾部材において観察されたレベルであり、具体的には、第１観察点から第２観察点への移動において第１の画像３７と第２の画像３８との切り替わりが画像全体にわたり不連続に観察され、違和感があった。【００８４】
【表１】
0006731051.tif 000002
【００８５】
［比較例１］
造形材製造装置４０により造形材３９をつくった。得られた造形材３９から成型装置７０を用いて装飾部材を製造し、比較例１とした。造形材３９のレンズのピッチは、表１の「造形材のレンズのピッチ」欄に示す。造形材３９は、成形装置７０により装飾部材１０にされるにあたり、並び方向ＬＤにおいて最も伸びた部位の延伸率が１００％であった。装飾部材において、レンズの幅は一定ではなく、部位によって異なっていた。装飾部材におけるレンズの幅は、表１の「装飾部材のレンズの幅」欄に示す。【００８６】
得られた装飾部材について、実施例と同じ方法により、画像の鮮明性と、画像の切り替え性とを評価し、得られた各評価結果を、前述の評価レベルＳとした。【００８７】
上記の結果を踏まえ、以下、作用効果を検証する。図１１に示す装飾部材９０は、シート状に形成されており、矩形の平面部９１と、平面部９１の中央に形成されたドーム状の曲面部９２とを備える。平面部９１は、短辺の長さＬ１が１２０ｍｍであり、長辺の長さＬ２が１５０ｍｍである。曲面部９２は図１１における上側に突出した凸部として形成されている。曲面部９２は、半径が一定の半球形であり、直径Ｌ３は４０ｍｍである。【００８８】
装飾部材９０は、短辺の長さが１２０ｍｍ、長辺の長さが１５０ｍｍである矩形のシート状の造形材３９を熱成型することによりつくっている。したがって、装飾部材９０は、装飾部材１０と同様の層構造を有する。ただし、印刷層３５に形成されている画像は、別の図面を用いて後述するように、装飾部材１０における画像とは異なる。図１１においては図の煩雑化を避けるためにレンズ２３（図３参照）の図示は略しているが、レンズ部３２（図３参照）は図１１における上側、画像形成部３３（図３参照）は図１１における下側に位置する。並び方向ＬＤは平面部９１の短辺方向となっており、延在方向ＥＤは平面部９１の長辺方向となっている。【００８９】
装飾部材９０の印刷層３５に形成されている画像は、図１２に示すように、４種の矩形の画像部（以下、矩形画像部と称する）９５ａ，９５ｂ，９５ｃ，９５ｄで構成されている。矩形画像部９５ａ，９５ｂ，９５ｃ，９５ｄは正方配列とされている。矩形画像部９５ａと矩形画像部９５ｂとは延在方向ＥＤにおいて交互に配されており、同様に、矩形画像部９５ｃと矩形画像部９５ｄとは延在方向ＥＤにおいて交互に配されている。また、矩形画像部９５ａと矩形画像部９５ｃとは並び方向ＬＤにおいて交互に配されており、同様に、矩形画像部９５ｂと矩形画像部９５ｄとは並び方向ＬＤにおいて交互に配されている。なお、以下の説明において、矩形画像部９５ａ，９５ｂ，９５ｃ，９５ｄを区別しない場合には、矩形画像部９５と記載する。【００９０】
延在方向ＥＤに並んだ矩形画像部９５ａ及び矩形画像部９５ｂからなる画像列ＲＡと、矩形画像部９５ｃ及び矩形画像部９５ｄからなる画像列ＲＢとは、対をなした状態で、１つのレンズ２３に対応して配される。すなわち、画像列ＲＡと画像列ＲＢとの一方は、前述の線状画像部３７ａ，３７ｂ，３７ｃ，・・・に対応し、他方は、前述の線状画像部３８ａ，３８ｂ，３８ｃ，・・・に対応する。したがって画像列ＲＡと画像列ＲＢとの幅の和は、レンズ２３の幅Ｗ２３と同じである。【００９１】
ここで、図１３に示すように装飾部材９０をレンズ部３２（図３参照）側から見たときに、曲面部９２の中心を点Ｐとする。また、曲面部９２において、点Ｐを通り、かつ、並び方向ＬＤに延びた直線上に点Ｑを採り、点Ｐを通り、かつ、延在方向ＥＤに延びた直線上に、点Ｒを採る。【００９２】
図１４に示すように、曲面部９２の点Ｐにおける接平面を第１接平面ＴＰ１とするときに、点Ｑは、第１接平面ＴＰ１とのなす角θ（ただし、０°＜θ≦９０°）が４５°となる第２接平面ＴＰ２と、曲面部９２との接点である。点Ｒも同様に、第２接平面ＴＰ２と、曲面部９２との接点である（図１７参照）。このように、点Ｑ及び点Ｒは、観察点の方向が法線に対して４５°傾いている、曲面部９２上の点である。なお、レンズ２３は曲面部９２に対して非常に小さいので、第１接平面ＴＰ１及び第２接平面ＴＰ２は、レンズ２３の第１レンズ面を成す曲面は無視し、曲面部９２全体としての曲面（各レンズ２３の第１レンズ面の頂点を結んだ仮想的な曲面）において特定している。【００９３】
点Ｐの図１４における上方６００ｍｍから装飾部材９０を観察する。「６００ｍｍ」は、点Ｐと点Ｑとをひとつの観察点からみたときに、観察点と点Ｐとを結ぶ直線と、観察点から点Ｑを結ぶ直線とを平行とみなせる十分な遠さとして設定した距離である。【００９４】
ここで、並び方向ＬＤにおいて、観察点からの観察が見込める矩形画像部９５の幅を見込み幅ＡＳ１とする。なお、点Ｐの矩形画像部９５の見込み幅ＡＳ１と点Ｑの見込み幅ＡＳ１とを区別する場合には、前者をＡＳ１（Ｐ）と記載し、後者をＡＳ１（Ｑ）と記載する。図１５に示すように点Ｐの矩形画像部９５ａ，９５ｃ，９５ａ，・・・は、観察点の方向に対して垂直な方向に並んでいるとみなせる。これに対し、点Ｑの矩形画像部９５ａ，９５ｃ，９５ａ，・・・は、図１６に示すように、点Ｐの矩形画像部９５ａ，９５ｃ，９５ａ，・・・の並び方向に対して４５°傾いた方向に並んでいるとみなせる。そのため、点Ｑの矩形画像部９５ａ，９５ｃ，９５ａ，・・・の各見込み幅ＡＳ１（Ｑ）は、点Ｐの９５ａ，９５ｃ，９５ａ，・・・の各見込み幅ＡＳ１（Ｐ）のｃｏｓ４５°倍（＝１／２1/2倍）であり、点Ｐの見込み幅ＡＳ１（Ｐ）よりも狭い（作用Ａ１とする）。なお、図１５及び図１６には、矩形画像部９５ａ，９５ｃ，９５ａ，・・・を描いて説明しているが、矩形画像部９５ｂ，９５ｄ，９５ｂ，・・・であってもよい。【００９５】
また、前述した観察点から点Ｐ及び点Ｑを観察した場合、点Ｐについては直上（矩形画像部９５から垂直に遠ざかる方向）から観察され、点Ｑについては斜め上（矩形画像部９５から斜め上に遠ざかる方向）から観察される。このため、点Ｐを観察した際には、矩形画像部９５のうち点Ｐの直下の地点（矩形画像部９５のうち点Ｐからの垂線と交差する地点であり、レンズ部３２のレンズ２３の光軸と矩形画像部９５とが交差する地点）が視認される。一方、点Ｑを観察した際には、点Ｑの直下からずれた地点が観察される。さらに、レンズ部３２及びシート３１は、外部（装飾部材９０が配置されている空間を満たす大気）とは屈折率が異なるため、点Ｑのように斜め上から観察した場合には、レンズ部３２及びシート３１による光の屈折によっても観察される位置はずれる。このように、点Ｐでは直下が観察されるのに対し、点Ｑでは直下からずれた地点が観察される（作用Ａ２とする）。【００９６】
さらにまた、観察点を平面部９１における並び方向ＬＤに沿って移動した場合には、点Ｐの見込み幅ＡＳ１（Ｐ）と点Ｑの見込み幅ＡＳ１（Ｑ）との違いによって、点Ｐと点Ｑとでは観察される画像の切り替わりの周期が異なる。具体的には、点Ｑでの切り替わりの周期が、点Ｐでの切り替わりの周期のｃｏｓ４５°倍（＝１／２1/2倍）であり、点Ｐでの切り替わりの周期よりも短い（作用Ａ３とする）。【００９７】
延在方向ＥＤにおいても同様に観察する。すなわち、点Ｐの図１７における上方６００ｍｍから装飾部材９０を観察する。「６００ｍｍ」は、点Ｐと点Ｒとをひとつの観察点からみたときに、観察点と点Ｐとを結ぶ直線と、観察点から点Ｒとを結ぶ直線とを平行とみなせる十分な遠さとして設定した距離である。【００９８】
ここで、延在方向ＥＤにおいて、観察点からの観察が見込める矩形画像部９５の幅を見込み幅ＡＳ２とする。なお、点Ｐの矩形画像部９５の見込み幅ＡＳ２と点Ｒの見込み幅ＡＳ２とを区別する場合には、前者をＡＳ２（Ｐ）と記載し、後者をＡＳ２（Ｒ）と記載する。図１８に示すように点Ｐの矩形画像部９５ａ，９５ｂ，９５ａ，・・・は、観察点の方向に対して垂直な方向に並んでいるとみなせる。これに対し、点Ｒの矩形画像部９５ａ，９５ｂ，９５ａ，・・・は、図１９に示すように、点Ｐの矩形画像部９５ａ，９５ｂ，９５ａ，・・・の並び方向に対して４５°傾いた方向に並んでいるとみなせる。そのため、点Ｒの矩形画像部９５ａ，９５ｂ，９５ａ，・・・の各見込み幅ＡＳ２（Ｒ）は、点Ｐの９５ａ，９５ｂ，９５ａ，・・・の各見込み幅ＡＳ２（Ｐ）のｃｏｓ４５°倍（＝１／２1/2倍）であり、点Ｐの見込み幅ＡＳ２（Ｐ）よりも狭い（作用Ｂ１とする）。なお、図１８及び図１９には、画像列ＲＡを描いて説明しているが、画像列ＲＢであってもよい。【００９９】
また、前述した観察点から点Ｐ及び点Ｒを観察した場合、点Ｐについては直上から観察され、点Ｒについては斜め上から観察される。このため、点Ｐを観察した際には、矩形画像部９５のうち点Ｐの直下の地点が視認される。一方、点Ｒを観察した際には、点Ｒの直下からずれた地点が観察される。さらに、レンズ部３２及びシート３１による光の屈折によっても観察される位置はずれる。このように、点Ｐでは直下が観察されるのに対し、点Ｒでは直下からずれた地点が観察される（作用Ｂ２とする）。【０１００】
以上の作用Ａ１〜Ａ３，Ｂ１，Ｂ２が相まって、装飾部材９０は光の見え方が複雑化しており、優れた意匠性を発現している。なお、上記の各作用は、矩形画像部９５ａ〜９５ｄによって形成されている画像が、可変視用と、立体視用とのいずれの画像であっても同様である。また、装飾部材９０において、位置によってレンズ部３２の厚みが異なる場合、及び／または位置によってレンズ２３の断面形状が異なる場合には、上記の作用Ａ１〜Ａ３，Ｂ１，Ｂ２に加え、厚み及び／または断面形状の違いによって、焦点深度が位置によって異なるから、光の見え方がより変化に富んだものとなる。厚み及び／または断面形状の違いによるこの作用は、印刷層３５の画像が、色と明度と光沢度とのそれぞれが互いに同じ画像（例えば前述のピアノブラックなど）であっても、顕著である。【０１０１】
また、レンズ２３のピッチＰ２３と、並び方向ＬＤにおける線状画像部及び矩形画像部の幅（以下、画像ピッチと称する）との少なくともいずれか一方が小さいほど、精細さが向上し、光の見え方がより変化に富んだものとなる。例えば、図２０と図２１とに示す写真は、レンズ２３のピッチＰ２３のうち、最も小さいピッチＰ２３が２００ＬＰＩである装飾部材を観察したものであり、互いに異なる観察点から観察している。この写真の例では、レンズ２３の幅Ｗ２３を均等に１２分割し、これを、５：２：５に配分した３つの線状画像部により、可変視用の画像を印刷層３５に形成してある。なお、ＵＶ（Ultra Violet，紫外線）オフセット印刷の場合には、印刷の現状での最小幅は６μｍであるため、線状画像部及び矩形画像部の数は、最大で、幅Ｗ２３を６μｍで除算した数となる。なお、図２０及び図２１の装飾部材において、レンズ部３２の高さの最大値は３８μｍ、シート３１の厚みの最大値は１３９μｍである。レンズ部３２の高さの最大値は、レンズの幅Ｗ２３以下であることが好ましい。
【符号の説明】
【０１０２】
１０，９０    装飾部材
１０Ａ  前面部
１０Ｂ  側面部
１１    自動車
１４    ダッシュボード
１５    ステアリングホイール
１６    ドアパネル
２１    ダッシュボード材本体
２２    ダッシュボード材
２３    レンズ
３１    シート
３１Ａ  前面部
３１Ｂ  側面部
３１ａ  第１シート面
３１ｂ  第２シート面
３２    レンズ部
３３    画像形成部
３５    印刷層
３６    支持体
３７    第１の画像
３７ａ，３７ｂ，３７ｃ，・・・  線状画像部
３８    第２の画像
３８ａ，３８ｂ，３８ｃ，・・・  線状画像部
３９    造形材
４０    造形材製造装置
４１    送出機
４２    塗布機
４５    レンズ形成ユニット
４６    巻取機
５１    フィルム
５２    塗膜
５３    塗布液
５６    賦形機
５７    加熱器
５８    光源
６１    第１支持ローラ
６２    第２支持ローラ
６３    形状付与ローラ
６３ａ  凹部
６６    モータ
６７    圧力調整機
７０    成型装置
７２    金型ユニット
７３    移動機構
７４    ヒータ
７６    制御部
７７    第１金型
７７ａ  転写面
７８    第２金型
７８ａ  転写面
７９    胴型
７９ａ  ガイド穴
９１    平面部
９２    曲面部
９５ａ〜９５ｄ  矩形画像部
ＡＲ１  第１領域
ＡＲ２  第２領域
ＡＲ３  第３領域
ＡＳ１（Ｐ），ＡＳ１（Ｑ），ＡＳ２（Ｐ），ＡＳ２（Ｒ）  見込み幅
Ｌ１    短辺の長さ
Ｌ２    長辺の長さ
Ｌ３    直径
ＥＤ    延在方向
ＬＤ    並び方向
Ｎ１    第１法線
Ｎ２    第２法線
Ｎ３    第３法線
Ｐ２３  レンズのピッチ
ＰＬ    平面
ＲＡ，ＲＢ  画像列
Ｔ１０  装飾部材の厚み
Ｔ２１  ダッシュボード材本体の厚み
Ｔ３２  レンズ部の厚み
Ｗ２３  レンズの幅
【図１】
0006731051.tif 000003
【図２】
0006731051.tif 000004
【図３】
0006731051.tif 000005
【図４】
0006731051.tif 000006
【図５】
0006731051.tif 000007
【図６Ａ】
0006731051.tif 000008
【図６Ｂ】
0006731051.tif 000009
【図７】
0006731051.tif 000010
【図８Ａ】
0006731051.tif 000011
【図８Ｂ】
0006731051.tif 000012
【図９】
0006731051.tif 000013
【図１０】
0006731051.tif 000014
【図１１】
0006731051.tif 000015
【図１２】
0006731051.tif 000016
【図１３】
0006731051.tif 000017
【図１４】
0006731051.tif 000018
【図１５】
0006731051.tif 000019
【図１６】
0006731051.tif 000020
【図１７】
0006731051.tif 000021
【図１８】
0006731051.tif 000022
【図１９】
0006731051.tif 000023
【図２０】
0006731051.tif 000024
【図２１】
0006731051.tif 000025